(57)【要約】【課題】  移動機を所有して特定エリアへ入場した顧客に、比較的簡単な構成でかつ複雑な操作を要することなく特定のコンテンツサービスを供給する。【解決手段】  近距離通信によりアクセス許可情報要求を送信可能な移動機110の所有者が特定エリアへ入場し、入り口に設置したゲート120へ、近距離通信によりアクセス許可情報要求を送信すると、ゲート120は、入場時刻情報やアクセスＩＤ、ＵＲＬなどのアクセス許可情報を送信する。移動機110は受信したこのアクセス許可情報を記憶し、その情報を用いて特定のサービスへアクセスする。移動機110が特定サービスを提供するサーバ130にアクセスすると、サーバ130は移動機110の持つＩＤを確認し、入場時刻情報を用いてそのＩＤが配布されてからの時間を求め、ＩＤの有効時間と比較する。比較の結果有効期間外のときは接続不可とし、有効期間内のときは接続を許可してサービス情報を提供する。【選択図】      図１
2005149303.tif 000002
【特許請求の範囲】
【請求項１】
特定エリアの入場口に、該特定エリアへ入場する入場者が所有する移動機との間で近距離通信を行うことによって前記移動機に対して特定サービスへのアクセスを許可するＵＲＬおよびＩＤを送信する特定サービス供給装置を配置し、
前記ＵＲＬおよびＩＤを前記特定サービス供給装置から受信した前記移動機の無線通信手段により、基地局経由でインターネットサーバに前記受信したＵＲＬおよびＩＤを送信することによって前記インターネットサーバから前記特定サービスを受信可能にしたことを特徴とする特定エリアにおけるサービス提供方法。
【請求項２】
前記特定サービス供給装置は、前記移動機に対して前記ＵＲＬおよびＩＤとともに入場時刻情報を送信し、前記移動機は、前記インターネットサーバに対して受信した前記ＵＲＬ、ＩＤおよび入場時刻情報を送信し、前記インターネットサーバは、前記入場時刻情報に基づいて前記ＩＤの有効性を判断し、有効と判断したとき前記特定サービスを前記移動機に送信することを特徴とする請求項１に記載の特定エリアにおけるサービス提供方法。
【請求項３】
前記ＩＤの有効性の判断は、前記ＵＲＬ、ＩＤおよび入場時刻情報を前記サーバが移動機から受信した時刻と、前記移動機から送信された前記入場時刻情報とに基づいて、前記サーバ側で設定した有効期間内であるか否かを判定し、有効期間内のとき有効と判断することを特徴とする請求項２に記載の特定エリアにおけるサービス提供方法。
【請求項４】
前記特定サービス供給装置は、前記移動機に対して前記特定エリアへの入場または前記特定エリアからの退場の情報を送信し、前記移動機は、受信した前記特定エリアへの入場または前記特定エリアからの退場の情報を記憶するとともに、前記インターネットサーバに対して前記特定サービスへのアクセスの際に前記特定エリアへの入場または前記特定エリアからの退場の情報も送信し、前記インターネットサーバは、前記移動機から入場の情報を受信したときには前記入場時刻情報を考慮せずに前記ＩＤの有効性を判断し、前記移動機から退場の情報を受信したときには前記入場時刻情報に基づいて前記ＩＤの有効性を判断することを特徴とする請求項２または３に記載の特定エリアにおけるサービス提供方法。
【請求項５】
前記近距離通信は、赤外線による送受信、Bluetooth、無線ＬＡＮ、あるいは磁気ＩＣカードの内の何れかであることを特徴とする請求項１〜４のいずれかに記載の特定エリアにおけるサービス提供方法。
【請求項６】
特定エリアの入場口に設置され、該特定エリアへ入場する入場者が所有する移動機との間で近距離通信を行う近距離通信手段と、該近距離通信手段により前記特定エリアへ入場する入場者が所有する移動機に対して特定サービスへのアクセスを許可するＵＲＬおよびＩＤを送信する手段を備えた特定サービス供給装置と、
前記特定サービス供給装置との間で、前記近距離通信を行う近距離通信手段と、該近距離通信手段により前記特定サービス供給装置から受信した前記ＵＲＬおよびＩＤを格納する特定サービス情報格納手段と、該特定サービス情報格納手段から前記ＵＲＬおよびＩＤを読み出して、基地局を経由してインターネットサーバに送信するとともに、前記インターネットサーバから送信された前記特定サービスを受信する無線通信手段とを備えた前記移動機と、
前記移動機から送信された前記ＩＤの有効性を確認する手段と、前記ＩＤが有効であるとき前記特定サービスを前記基地局経由で前記移動機へ送信する手段を備えた前記インターネットサーバと、
からなることを特徴とする特定エリアにおけるサービス提供システム。
【請求項７】
前記特定サービス供給装置は、前記移動機に対して前記ＵＲＬおよびＩＤとともに入場時刻情報を送信する手段を備え、
前記移動機は、受信した前記ＵＲＬ、ＩＤおよび入場時刻情報を前記インターネットサーバに対して送信する手段を備え、
前記インターネットサーバは、前記入場時刻情報に基づいて前記ＩＤの有効性を判断する手段と、前記ＩＤが有効と判断したとき前記特定サービスを前記移動機に送信する手段を備えていることを特徴とする請求項６に記載の特定エリアにおけるサービス提供システム。
【請求項８】
前記特定サービス供給装置および前記移動機は、前記近距離通信手段として、赤外線による送受信、Bluetooth、無線ＬＡＮ、あるいは磁気ＩＣカードの内の何れかの手段を備えていることを特徴とする請求項６または７に記載の特定エリアにおけるサービス提供システム。
【請求項９】
請求項６に記載の特定エリアにおけるサービス提供システムに用いられる特定サービス供給装置であって、
特定エリアの入場口に設置され、該特定エリアへ入場する入場者が所有する移動機との間で近距離通信を行う近距離通信手段と、該近距離通信手段により前記特定エリアへ入場する入場者が所有する移動機に対して特定サービスへのアクセスを許可するＵＲＬおよびＩＤを送信する手段を備えていることを特徴とする特定サービス供給装置。
【請求項１０】
請求項６に記載の特定エリアにおけるサービス提供システムに用いられる移動機であって、
前記特定サービス供給装置との間で、前記近距離通信を行う近距離通信手段と、該近距離通信手段により前記特定サービス供給装置から受信した前記ＵＲＬおよびＩＤを格納する特定サービス情報格納手段と、該特定サービス情報格納手段から前記ＵＲＬおよびＩＤを読み出して、基地局を経由してインターネットサーバに送信するとともに、前記インターネットサーバから送信された前記特定サービスを受信する無線通信手段とを備えていることを特徴とする移動機。
【請求項１１】
請求項６に記載の特定エリアにおけるサービス提供システムに用いられるインターネットサーバであって、
前記移動機から送信された前記ＩＤの有効性を確認する手段と、前記ＩＤが有効であるとき前記特定サービスを前記基地局経由で前記移動機へ送信する手段を備えていることを特徴とするインターネットサーバ。
【発明の詳細な説明】
【技術分野】
【０００１】
本発明は、特定エリアに入場した顧客が所有する携帯電話端末等の移動機を介して特定のサービスを提供するシステムに関する。
【背景技術】
【０００２】
近年、携帯電話機等の携帯無線端末により、インターネット上のコンテンツサーバに格納されたコンテンツデータを取得して、種々の情報にアクセスすることができるシステムが提案されている。このシステムでは、予めシステム側からアクセス権が付与されている携帯無線端末の使用者が、目的の情報にアクセスするに先立って、使用者固有に設定された使用者識別子（ＩＤ）あるいはパスワード（ＰＷ）を送信することにより、アクセス権の有無が認証される。そして、アクセス権が認証されてから、所望の情報にアクセスできるようになっている（特許文献１等参照）。
【０００３】
このように携帯電話端末等の移動機を用いたインターネット接続では、基本的にいつでもどこでも接続が可能である。一方、逆に特定エリアへ入場した場合にのみサービスへのアクセスが可能となるように制限すれば、サービスの充実度によってはサービスを受けるためにそのエリアへ来場する人を増加させることができる。また、サービスが魅力的なものであればリピーターの確保にもつながる。
【０００４】
そのため従来、店頭や商品に付加した形で特定サービスへアクセスするためのＵＲＬ、パスワードなどを配布する方法も実施されているが、この場合には配布されたＵＲＬ、パスワードなどを自分で入力しなければならず、操作が煩わしく手間もかかる。
【０００５】
一方、特許文献２には、利用者が携帯する携帯端末装置に特定のサービスエリア入場口に設置されたサービス提供装置からサービスデータを供給することにより、この特定エリアへ入場した利用者に対して、前記サービスデータ供給装置が供給したサービスデータを該特定エリア内においてのみ再生を許可するとともに、この携帯端末装置のサービスエリアへの入退場を検出して、前記サービスデータの再生を許可／禁止する技術が開示されている。
【０００６】
特許文献２に記載の技術では、携帯端末装置は、サービスエリアから一時的に退場するときには一時退場情報をサービス提供装置に送信し、サービス提供装置から一時退場許可情報を受信することにより前記サービスデータを保持する状態で再生手段をサービスデータの再生禁止状態に設定し、またサービスエリアに再度入場するときには、再入場情報をサービス提供装置に送信し、サービス提供装置からサービス許可情報を受信することにより、再生手段をサービスデータの再生可能状態に設定している。
【０００７】
【特許文献１】特開２００１−１７５５４０号公報
【特許文献２】特開２００３−１１０４９０号公報
【発明の開示】
【発明が解決しようとする課題】
【０００８】
特許文献２に記載されているような、特定エリアへの入退場を検出し、特定エリア内でのみサービスデータの使用を許可する技術では、サービスエリアを退場してしまうと、サービス提供装置から供給されたサービスデータを再生できないために、上記サービスを受けることができないという問題がある。また、一時退場許可情報またはサービス許可情報を携帯端末装置が受信し、この携帯端末装置にてサービスの再生を制御する構成となっているため、携帯端末装置の構成が複雑となるという問題がある。
【０００９】
さらに特許文献２に記載の技術では、携帯端末装置が特定エリアへ入場したときに該特定エリアの入退場口に設置されたサービスデータ供給装置からサービスデータを供給するために、前記特定エリアの入退場口にサービスデータを供給するための装置を設置する必要がある。
【００１０】
例えば、ファーストフード店、喫茶店あるいは美容院など、似たような店舗が多く存在する業界において、その店舗の来客者にのみ限定して特定のコンテンツサービスを行うことで来客数の増加を図るシステムを構築する場合、店舗の入退場口に上記のようなサービスデータ供給装置を設置することは、操作の複雑さやコストの面で実現は困難である。
【００１１】
またサービスの提供期間も、来客人が店舗内にいるときのみサービスを提供するだけではなく、次回その種の店舗を利用する時期と上手くタイミングを合わせてサービスを受けられる期間を設定すれば、リピーターとして再来店する可能性が増えることが考えられる。
【００１２】
本発明の目的は、上記問題点に鑑み、携帯電話機等の移動機を所有して特定エリアへ入場した顧客に対して、比較的簡単な構成でかつ複雑な操作を要することなく、特定のコンテンツサービス受けることを可能にする手段を提供することにある。
【００１３】
本発明の他の目的は、前記携帯電話機等の移動機を所有して特定エリアへ入場した顧客に対して、前記特定エリアから退場した後も、予め設定した期間内で前記特定のコンテンツサービスを受けることを可能にする手段を提供することにある。
【課題を解決するための手段】
【００１４】
本発明の特定エリアにおけるサービス提供方法は、特定エリアの入場口に、該特定エリアへ入場する入場者が所有する移動機との間で近距離通信を行うことによって前記移動機に対して特定サービスへのアクセスを許可するＵＲＬおよびＩＤを送信する特定サービス供給装置を配置し、前記ＵＲＬおよびＩＤを前記特定サービス供給装置から受信した前記移動機の無線通信手段により、基地局経由でインターネットサーバに前記受信したＵＲＬおよびＩＤを送信することによって前記インターネットサーバから前記特定サービスを受信可能にしたことを特徴とする。
【００１５】
その際、前記特定サービス供給装置は、前記移動機に対して前記ＵＲＬおよびＩＤとともに入場時刻情報を送信し、前記移動機は、前記インターネットサーバに対して受信した前記ＵＲＬ、ＩＤおよび入場時刻情報を送信し、前記インターネットサーバは、前記入場時刻情報に基づいて前記ＩＤの有効性を判断し、有効と判断したとき前記特定サービスを前記移動機に送信するように構成することができる。
【００１６】
前記ＩＤの有効性は、前記移動機から前記ＩＤおよび入場時刻情報を受信した時刻と、前記入場時刻情報とに基づいて、前記サーバ側で設定した有効期間内であるか否かを判定し、有効期間内のとき有効と判断する方法によって実現可能である。
【００１７】
また、前記近距離通信は、赤外線による送受信、Bluetooth、無線ＬＡＮ、あるいは磁気ＩＣカード等の手段から適宜の手段を選択して実現可能である。
【００１８】
また、本発明の特定エリアにおけるサービス提供システムは、特定エリアの入場口に設置され、該特定エリアへ入場する入場者が所有する移動機との間で近距離通信を行う近距離通信手段と、該近距離通信手段により前記特定エリアへ入場する入場者が所有する移動機に対して特定サービスへのアクセスを許可するＵＲＬおよびＩＤを送信する手段を備えた特定サービス供給装置と、前記特定サービス供給装置との間で、前記近距離通信を行う近距離通信手段と、該近距離通信手段により前記特定サービス供給装置から受信した前記ＵＲＬおよびＩＤを格納する特定サービス情報格納手段と、該特定サービス情報格納手段から前記ＵＲＬおよびＩＤを読み出して、基地局を経由してインターネットサーバに送信するとともに、前記インターネットサーバから送信された前記特定サービスを受信する無線通信手段とを備えた前記移動機と、前記移動機から送信された前記ＩＤの有効性を確認する手段と、前記ＩＤが有効であるとき前記特定サービスを前記基地局経由で前記移動機へ送信する手段を備えた前記インターネットサーバと、からなることを特徴とする。
【発明の効果】
【００１９】
本発明の第１の効果は、本発明の特定サービスを受信可能な携帯電話機等の移動機が、特定エリアへ入場時に、前記特定サービスへアクセスするためのＵＲＬおよびＩＤが配布されるので、エリアへの入場者にのみ特定サービスへのアクセスを許可することができる。
【００２０】
本発明の第２の効果は、配布するＩＤに入場時刻Ｔ１を付加することで入場からの経過時間Ｔｓまたは初回アクセスからの経過時間Ｔｄを求めることができ、サービスへのアクセス有効時間によりアクセスに対し制限を掛けることができる。そのため、似たような店舗が多く存在する業界において、その店舗への来客のみに限定でサービスを行うことで来客数の増加を期待できる。
【００２１】
また、そのサービスに対応してアクセス可能な時間を設定することで、リピーターの確保も期待できる。例えば、ファーストフード店や喫茶店などではアクセス可能な時間を短く設定し、一方美容院などではアクセス可能な時間を一ヶ月程度に設定するなどして、次回その種の店舗を利用する時期と上手くタイミングを合わせると、リピーターとして再来店する可能性が増える。
【００２２】
本発明の第３の効果は、特定サービスの供給をサーバが行い、また、アクセスの可否を移動機でなくサーバにて判定するため、サービス供給装置及び移動機の構成が簡単である。
【発明を実施するための最良の形態】
【００２３】
図１は、本発明の実施形態を示す概要図である。
【００２４】
本実施形態において、特定エリアへの入退場を管理するゲート１２０とそのエリア特定のサービスを提供するサーバ１３０は、特定サービスへのアクセスＩＤや時間情報を互いに送受信することにより共有する。
【００２５】
一方、赤外線による送受信、Bluetooth、無線ＬＡＮ、あるいは磁気ＩＣカードなどの二次通信方法によりアクセス許可情報要求を送信可能な移動機１１０を所有する入場者が特定エリアへ入場すると、該移動機１１０から入り口に設置したゲート１２０へ、赤外線による送受信、Bluetooth、無線ＬＡＮ、磁気ＩＣカードなどの二次通信方法によりアクセス許可情報要求が送信される。ゲート１２０はこの要求を受けると、入場時刻情報やアクセスＩＤ、ＵＲＬなどのアクセス許可情報を送信する。移動機１１０は受信したこのアクセス許可情報を記憶し、その情報を用いて特定のサービスへアクセスする。
【００２６】
移動機１１０が特定サービスを提供するサーバ１３０にアクセスすると、サーバ１３０は移動機１１０の持つＩＤを確認し、入場時刻情報を用いてそのＩＤが配布されてからの時間Ｔｓを求め、ＩＤの有効時間Ｔｅと比較する。ＴｓがＴｅより大きい場合、接続不可となる。ＴｓがＴｅより小さい場合、接続を許可しサービス情報を提供する。
【００２７】
このように、特定エリアへの入場時にそのエリア固有のサービスへアクセスするためのＩＤを入場者の持つ移動機１１０にて受信し記憶することで、そのエリアへの入場者限定のサービスが提供できる。また、そのＩＤの有効期限を設定することで設定によっては退場後もサービスを受けることができる。
【００２８】
図２は、本実施形態の構成例を示すブロック図であり、移動機１１０、ゲート１２０、サーバ１３０および基地局１４０で構成される。
【００２９】
移動機１１０は、通信部１１２を用いて基地局１４０に接続し、インターネットや音声通話などの通信を行うことができる。さらに本発明の移動機１１０は、赤外線送受信部、Bluetooth、無線ＬＡＮ、あるいは磁気ＩＣカードにより、近距離でのデータ送受信が可能な通信部１１１を備えている。また、移動機１１０は、操作情報や様々なデータを表示する表示部１１４、移動機の操作を行う操作部１１５、データを記憶する記憶部１１６、移動機の通信や操作などを制御する制御部１１３を有している。
【００３０】
ゲート１２０は、移動機１１０の通信部１１１との間で、赤外線による送受信、Bluetooth、無線ＬＡＮ、あるいは磁気ＩＣカードによりデータの送受信を行う通信部１２１、およびサーバ１３０との間で時間情報、アクセスＩＤなどのデータを送受信する通信部１２２を備えている。また、制御部１２３と、特定エリアへ接続するためのアクセスＩＤなど様々なデータを記憶する記憶部１２４と、時刻を計測するタイマ部１２５とを持ち、制御部１２３は、記憶部１２４に記憶しているアクセスＩＤなどのデータにタイマ部１２５により計測した時刻を付加し、送信する制御等を行う。
【００３１】
サーバ１３０は、インターネット接続によるコンテンツサービスを行うサーバである。通信部１３１よりインターネット回線を通して不特定多数の端末と通信を行い、サービスを提供することができる。また、通信部１３１よりインターネット回線を通してゲート１２０の通信部１２２とも接続され、時間情報、アクセスＩＤなどのデータを送受信する。
【００３２】
サーバ１３０の制御部１３３では、移動機１１０より受信したアクセスＩＤなどの条件を判断し、サービスのアクセス許可／不許可を決定する。サーバ１３０の記憶部１３４には各サービスに対応して、接続を許可するＩＤ情報を記憶しており、また、過去の接続ＩＤと時刻を一定時間記憶している。タイマ部１３５は時刻を計測する。
【００３３】
図３は、移動機１１０が特定エリアへ入場するときの移動機１１０、ゲート１２０の動作を示すフローチャートである。
【００３４】
ゲート１２０は特定エリアの入場口に配置されており、その通信部１２１からはその入場口に、赤外線、Bluetooth、無線ＬＡＮにより特定エリアの入場口であることを示す情報が送信されるか、磁気ＩＣカードによる送受信手段が設けられている。特定エリアへ入るため移動機１１０がゲート１２０を通過する際（３−Ｓ１）に、移動機１１０の通信部１１１が通信部１２１からの入場口情報を受信すると、移動機１１０の通信部１１１からゲート１２０の通信部１２１へアクセス許可情報要求を送信する（３−Ｓ２）。
【００３５】
ゲート１２０には、その記憶部１２４に当該エリア特有のサービスのＵＲＬとアクセスＩＤが記憶されており、ゲート１２０の通信部１２１が移動機１１０からのアクセス許可情報要求を受信すると（３−Ｓ３）、制御部１２３は記憶部１２４に記憶している特定サービスのＵＲＬとアクセスＩＤを読み出し（３−Ｓ４）、入場時の時刻Ｔ１を添付して通信部１２１から移動機１１０へ送信する（３−Ｓ５）。
【００３６】
移動機１１０の通信部１１１がゲート１２０からＵＲＬ、ＩＤ、入場時刻情報Ｔ１などのアクセス許可情報を受信すると（３−Ｓ６）、制御部１１３は受信したＵＲＬをブックマークに登録するかどうかの確認メッセージを表示部１１４に表示し（３−Ｓ７）、操作部１１５によりユーザから「登録」が選択されるとブックマークに登録する（３−Ｓ８）。そのブックマークに付加した形で受信したＩＤ、時刻Ｔ１を記憶部１１６に記憶する。同じＵＲＬでブックマーク登録が存在する場合は、ＩＤと入場時刻を上書きする。
【００３７】
図４は、ゲート１２０からＵＲＬ、ＩＤ、入場時刻情報Ｔ１などのアクセス許可情報を受信した移動機１１０が、サーバ１３０上にある特定エリアのサービスへ接続した場合のサーバでの動作を示すフローチャートである。なお、サーバ１３０はインターネット上での様々な情報サービスを提供することができる。
【００３８】
移動機１１０が通信部１１２を用いてサーバ１３０が提供するエリア特定サービスへ接続すると（４−Ｓ１）、サーバ１３０は移動機１１０へＩＤと入場時刻の送信要求を送信する（４−Ｓ２）。移動機１１０はＩＤの送信要求を受けると、ゲート１２０から受信して記憶部１１６に記憶しているＩＤと時刻Ｔ１をサーバへ送信する。サーバ１３０はＩＤを受信すると（４−Ｓ３）、記憶部１３４に記憶しているそのサービスのＩＤと比較し（４−Ｓ４）、正しいかどうかの判定を行う（４−Ｓ５）。
【００３９】
ＩＤが正しくない場合、特定サービスへの接続を不許可とし、接続できないというメッセージを移動機に送信する（４−Ｓ９）。ＩＤが正しい場合、次に移動機１１０から受信した入場時刻Ｔ１とサーバのタイマ部１３５の時刻Ｔ２を用いて入場後の経過時間Ｔｓを計算する（４−Ｓ６）。このとき、ゲート１２０のタイマ１２５とサーバのタイマ１３５は互いに相関が取れている。
【００４０】
サーバ１３０の記憶部１３４には特定サービスのサービス許可時間Ｔｅが設定・記憶されており、算出したＴｓの値と比較を行う（４−Ｓ７）。Ｔｓ＞Ｔｅの場合、制御部１３３によりサービスへの接続不可と判断し、接続できないというメッセージを移動機に送信する（４−Ｓ９）。Ｔｅ＞Ｔｓの場合、制御部１３３によりサービスへの接続許可とし、通信部１３１を通して移動機１１０に特定サービスを提供する（４−Ｓ８）。このようにして、サービスへの接続可否の判定を行う。
【００４１】
図５は、サーバ１３０が移動機１１０に接続を許可した後のサーバの処理手順を示すフローチャートである。
【００４２】
サーバ１３０では、接続を許可したＩＤと入場時刻Ｔ１を記憶部１３４に記憶する（４−Ｓ１０）。サーバ１３０では一定周期で、記憶部１３４に記憶している時刻Ｔ１からの経過時間Ｔｓを求める（４−Ｓ１１）。入場からの経過時間Ｔｓとサービスの許可時間Ｔｅとを比較し（４−Ｓ１２）、制御部１３３によりサービス継続の可否を判断する（４−Ｓ１３）。Ｔｓ＜Ｔｅの場合は、サービスの提供を続ける（４−Ｓ１４）。
【００４３】
Ｓ１１からＳ１３は一定の周期で繰り返され、Ｔｓ＞Ｔｅとなった時点で、接続時間が有効時間を超えているというメッセージを移動機１１０へ送信し（４−Ｓ１５）、一定時間後にサービスへのアクセスを不可として、アクセスを禁止する（４−Ｓ１６）。そして、サーバの記憶部１３４に記憶している当該ＩＤとタイムスタンプを削除する（４−Ｓ１７）。
【００４４】
上記サービスにおいて、サービスの有効時間Ｔｅ、Ｓ１１から１３の処理を行う周期は、各サービスに応じて設定することができる仕組みとし、提供するサービスの種類や目的に応じて様々に設定できる構成とする。
【００４５】
なお、上記実施形態では、移動機１１０が前記特定エリアに入場中であっても、有効期限が切れるとサービスへのアクセスを不可として、アクセスを禁止されてしまうが、前記特定エリアへの入退場の情報を追加することにより、有効期限が切れても入場中であればサービスを提供する構成を実現できる。
【００４６】
即ち、前記特定エリアに入場時には、ゲート１２０から移動機１１０にＵＲＬ、ＩＤ、入場時刻、入退場情報を送信する。移動機１１０は上記ＵＲＬをブックマークに登録し、その付加情報としてＩＤ、入場時刻、入退場の状態を記憶する。退場時にはゲート１２０から移動機１１０に退場情報を送信し、移動機１１０では入退場情報を上書きする。
【００４７】
移動機１１０がサーバ１３０へアクセスすると、サーバ１３０にて移動機１１０から送信された各情報を確認する。ＵＲＬ、ＩＤが正しくかつ入場の状態であれば、サーバ１３０は、入場時刻を考慮せずにサービスへの接続を許可する。ＵＲＬ、ＩＤが正しく、退場の状態である場合は、前述の実施例と同様の動作をする。このように本実施例では、移動機１１０が前記特定エリアに入場中の場合には、サービスの有効時間に関係なくサービスを受けることができる。
【図面の簡単な説明】
【００４８】
【図１】本発明の実施形態を示す概要図である。
【図２】本実施形態の構成例を示すブロック図である。
【図３】移動機が特定エリアへ入場するときの移動機およびゲートの動作を示すフローチャートである。
【図４】移動機がサーバにサービス許可要求するときの移動機およびサーバの動作を示すフローチャートである。
【図５】サーバが移動機に接続を許可した後のサーバの処理手順を示すフローチャートである。
【符号の説明】
【００４９】
１１０  移動機
１１１  通信部１
１１２  通信部２
１１３  制御部
１１４  記憶部
１１５  操作部
１１６  表示部
１２０  ゲート
１２１  通信部１
１２２  通信部２
１２３  制御部
１２４  記憶部
１２５  タイマ部
１３０  サーバ
１３１  通信部
１３３  制御部
１３４  記憶部
１３５  タイマ部
１４０  基地局
【図１】
2005149303.tif 000003
【図２】
2005149303.tif 000004
【図３】
2005149303.tif 000005
【図４】
2005149303.tif 000006
【図５】
2005149303.tif 000007